(57)【要約】【課題】簡単且つ迅速に開封するための包装袋および包装体を提供する。【解決手段】本発明は、胴部３と、前記胴部３の天面を覆う頂部４と、を備えて物品を収容可能な包装袋１であって、前記頂部４には前記包装袋１を開封するための開封線７が設けられ、前記胴部３には複数の物品を並置して互いに接触した状態で密に配列可能であり、前記開封線７が、前記物品の配列方向と交差する方向に延在する。【選択図】図１
2017024735.tif 000002
【特許請求の範囲】
【請求項１】
胴部と、前記胴部の天面を覆う頂部と、を備えて物品を収容可能な包装袋であって、
前記頂部には前記包装袋を開封するための開封線が設けられ、
前記胴部には複数の前記物品を並置して互いに接触した状態で密に配列可能であり、
前記開封線が、前記物品の配列方向と交差する方向に延在することを特徴とする包装袋。
【請求項２】
前記開封線は、前記包装袋に圧縮して複数収容されることで生じる物品の復元力の作用方向と交差する方向に延在することを特徴とする請求項１に記載の包装袋。
【請求項３】
前記開封線を破断させる引張力が作用する方向が、前記物品の配列方向と略平行な方向であることを特徴とする請求項１または請求項２に記載の包装袋。
【請求項４】
請求項１から請求項３のいずれか一項に記載の包装袋により前記物品が収容されていることを特徴とする包装体。
【請求項５】
前記物品は、衛生用品であることを特徴とする請求項４に記載の包装体。
【請求項６】
前記衛生用品は、パンツ型のおむつであることを特徴とする請求項５に記載の包装体。
【発明の詳細な説明】
【技術分野】
【０００１】
本発明は、包装袋および包装体に関する。特に、包装対象となる物品の中でも衛生用品を収容するのに好適な包装袋と当該包装袋により衛生用品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋に、可能な限り多くの数の物品を効率良く収容させるため、形状、材質、収容方法に様々な工夫がなされた包装袋が存在している。例えば、特許文献１には、複数の物品を整列して収容することで、効率良く物品を梱包可能な包装袋が示されている。
【０００３】
一方、物品を収容する包装袋には、簡単且つ迅速に開封できることが要望されており、例えば、包装袋の天面を覆う頂部にミシン目などの開封線が形成された部分を設け、当該部分を開封線に沿って破断することで、開封を容易にしたものが知られている。
【先行技術文献】
【特許文献】
【０００４】
【特許文献１】特開２００１−２４７１８１号公報
【発明の概要】
【発明が解決しようとする課題】
【０００５】
しかしながら、包装袋の材質や開封線の形成具合などによって開封線を破断しにくいと、包装袋を開封するために手間が掛かる場合があった。そのため、収容された物品を速やかに取り出すことができないおそれがあった。
【０００６】
本発明の目的は、簡単且つ迅速に開封するための包装袋および包装体を提供することにある。
【課題を解決するための手段】
【０００７】
本発明による包装袋は、胴部と、胴部の天面を覆う頂部と、を備えて物品を収容可能な包装袋であって、頂部には包装袋を開封するための開封線が設けられ、胴部には複数の物品を並置して互いに接触した状態で密に配列可能であり、開封線が、物品の配列方向と交差する方向に延在することを特徴とするものである。
【０００８】
また、本発明による包装体は、本発明による包装袋によって物品を収容したことを特徴とするものである。
【発明の効果】
【０００９】
本発明によれば、開封線の両側を引っ張る方向に作用する物品の復元力を利用して、開封線を破断させ易くなることによって、包装袋を簡単且つ迅速に開封し、収容された物品を速やかに取り出すことが可能となる。
【図面の簡単な説明】
【００１０】
【図１】本発明の第１の実施形態に係る、包装袋および包装体の斜視図である。
【図２】本発明の第１の実施形態に係る、包装袋および包装体を示す図であり、（ａ）は図１のＩＩＡ方向の正面図、（ｂ）は上面図、（ｃ）は底面図である。
【図３】物品の復元力の作用方向について説明するための図であり、（ａ）は図２（ａ）のＩＩＩＡ−ＩＩＩＡ方向断面図であり、包装袋に物品が圧縮して整列している様子、（ｂ）は圧縮して収容する前の１枚の物品、（ｃ）は圧縮して収容した後の１枚の物品をそれぞれ示す。
【図４】物品の復元力による、包装袋および包装体の胴部の変形について簡略的に示した図である。
【図５】本発明の第２の実施形態に係る、包装袋および包装体の斜視図である。
【図６】本発明の第２の実施形態に係る、包装袋および包装体を示す図であり、（ａ）は図５のＶＩＡ方向の正面図、（ｂ）は図５のＶＩＢ方向の正面図、（ｃ）は上面図、（ｄ）は底面図である。
【図７】物品の復元力による傾斜面部の状態の変化について説明するための図であって、包装袋の側面部Ｅ側（または側面部Ｅ’側）から見た一対の傾斜面部の断面を模式的に表したものであり、（ａ）は復元力により状態が変化する前の傾斜面部、（ｂ）は復元力により傾斜角等が変化した後の傾斜面部、（ｃ）は復元力により形状が変化した後の傾斜面部についてそれぞれ表す。
【発明を実施するための形態】
【００１１】
以下、図面を参照しながら本発明を実施するための形態を詳細に説明する。
【００１２】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１３】
また、本明細書および特許請求の範囲の記載において、「包装体」とは、物品が収容された状態の包装袋、特に包装袋に複数の物品が収容されることで製造された後であって且つ開封前のものをいう。
【００１４】
さらに、本明細書および特許請求の範囲の記載における「閉塞」という用語は、包装袋の内部を雰囲気から完全に遮断すること（すなわち封止すること）だけでなく、包装袋の内部を異物の侵入から効果的に保護できる程度に実質的に包装袋を閉じることも包含するものである。
【００１５】
本明細書および特許請求の範囲の記載において、「接着」とは、接着剤を使用したものの他、溶着によるもの、熱融着（以下、ヒートシールということがある）によるものも含む。
【００１６】
本発明の実施形態に係る包装袋は、開封線が複数の物品の配列方向と交差する方向に延在するように、当該開封線を包装袋の頂部に設けることにより、圧縮して収容された物品の復元力が開封線を破断させる力に資する結果、包装袋を簡単且つ迅速に開封することが可能となるものである。
【００１７】
＜第１の実施形態＞  
図１および図２に本発明の第１の実施形態に係る、包装袋１および包装体１００を示し、図１は斜視図、図２（ａ）は図１のＩＩＡ方向の正面図、図２（ｂ）は上面図、図２（ｃ）は底面図をそれぞれ表す。
【００１８】
本実施形態に係る包装袋１は、いわゆる、天面側に片ガセットを配置したタイプのものである。包装袋１は、天面と底面との間の物品（本実施形態では衛生用品２）を収容する空間を実質的に画成する胴部３と、当該胴部３の天面を覆う頂部４とを備えて構成される。なお、これらの部分は別体に製造された後に一体化されたものではなく、１枚のシート状部材の折り曲げ等によって予め一体に形成されているものである。
【００１９】
本実施形態の包装袋１は、図１に示すように、衛生用品２を複数収容した状態で略直方体形状を呈し、胴部３は、包装袋１の底面部と略垂直な４つの側面部を有する。図２（ｂ）に示すように、その略直方体を包装袋１の天面部５側からみた場合の包装袋１の上面の形状は略長方形である。なお、本明細書および特許請求の範囲の記載において「略直方体」というときは、当然に立方体も含まれるし、「略長方形」というときは、当然に正方形も含まれる。包装袋１の上面の形状が正方形である場合、いずれの辺を本明細書および特許請求の範囲の記載における長辺（または短辺）とみなしてもよい。図１に示すように、当該４つの側面部のうち、一方の対向する２つの側面部をＡ、Ａ’とし、他方の対向する２つの側面部をＢ、Ｂ’とする。包装袋１の胴部３には複数の衛生用品２を並置して互いに接触した状態で密に配列可能である。本実施形態では、衛生用品２は、圧縮された状態で、図２（ｂ）に示す上記略長方形の短辺と略平行な方向（対向する２つの側面部Ａ、Ａ’と略平行な方向）に２列配列される。圧縮して収容された複数の衛生用品２の復元力によって、対向する２つの側面部Ｂ、Ｂ’には、包装袋１の外側に膨出するような力が略垂直方向に働くことになる。
【００２０】
頂部４には、包装袋１の胴部３の底面部（図２（ｃ）を参照）と略平行な天面部５とこれに付帯する立ち上がり部６とが設けられる。天面部５の中央付近には、上記略長方形の長辺と略平行に開封線７が設けられ、これを破断することで、包装袋１が開封され、包装袋１の開口が形成される。開封線７は、例えば、ミシン目として天面部５上に形成される。
【００２１】
本実施形態では、開封線７は、衛生用品２の配列方向と交差する方向に延在する。すなわち、開封線７は、包装袋１に圧縮して複数収容されることで生じる衛生用品２の復元力の作用方向と交差する方向に延在する。
【００２２】
図３は包装袋に圧縮して複数収容されることで生じる衛生用品の復元力の作用方向について説明するための図である。図３（ａ）は図２（ａ）のＩＩＩＡ−ＩＩＩＡ方向断面図であり、包装袋１に衛生用品が圧縮して整列している様子を示す。また、図３（ｂ）は圧縮して収容する前の１枚の衛生用品、図３（ｃ）は圧縮して収容した後の１枚の衛生用品をそれぞれ示す。
【００２３】
図３（ａ）に示すように、包装袋１には、衛生用品２1、２2、２3、２4〜２n-1、２n（ｎは２以上の整数）がそれぞれ圧縮状態で２列配列され、収容されている。図３（ｂ）および図３（ｃ）に示すように、例えば、圧縮して収容した後の１枚の衛生用品２1には、圧縮して収容する前の１枚の衛生用品２’1と比較して、圧縮された力に対して反発するように、復元力Ｆ1が生じているのがわかる。残りの衛生用品２2、２3、２4〜２n-1、２nについても、衛生用品２1と同様に圧縮されるので、復元力Ｆ1と同様の復元力をそれぞれ生じることになる。そして、複数の衛生用品２1、２2、２3、２4〜２n-1、２nから生じた復元力Ｆ2は、対向する２つの側面部Ｂ、Ｂ’が外側に膨出するように、側面部Ｂ、Ｂ’に対して略垂直な方向に働くことになる（図３（ａ）を参照）。本実施形態では、衛生用品２1、２2、２3、２4〜２n-1、２nが２列配列されているため、当該２列分の復元力Ｆ2が、側面部Ｂ、Ｂ’に対して働く。また、対向する２つの側面部Ｂ、Ｂ’が外側に膨出することによって、側面部Ｂ、Ｂ’と一体となっている側面部Ａ、Ａ’ にも力がそれぞれ伝わり、図３（ａ）に示すように、側面部Ａ、Ａ’に対して凹む力Ｆ3がそれぞれ作用することになる。
【００２４】
図４は圧縮して複数収容したときに生じる衛生用品２の復元力による、図２（ａ）のＩＩＩＡ−ＩＩＩＡ方向断面の包装袋１および包装体１００の胴部４の変形について模式的に且つ誇張して示した図である。図４において、複数の衛生用品２が収容される前の包装袋１の胴部３の断面形状Ｃを一点鎖線で表し、複数の衛生用品２が収容された後の包装袋１の胴部３の断面形状Ｄを実線で表す。断面形状Ｄは、図４に示すように、断面形状Ｃと比較して、収容された複数の衛生用品２の復元力Ｆ2および力Ｆ3によって変形している（図４では変形前と比較して縦長になっている）ことがわかる。
【００２５】
本実施形態において、開封線７を破断し易いという効果をより発現できる条件としては、上面視で略長方形の形状を呈する包装袋１の天面部５のうち２つの長辺の間隔をＬAとし、衛生用品２の復元力によって変形した後の上記２つの長辺の間隔をＬA’として、ＬA＜ＬA’となる条件を満たす場合である。しかし、上記条件を満たさなくても、衛生用品２の復元力により開封線７に対して引張応力が作用しているならば、開封線７を破断し易いという効果を享受することが可能である。
【００２６】
従来、包装袋は、収容される物品の形状に合わせて包装できること、包装袋が破れにくいこと、端部や角部が硬くならないこと、が一般に要求されることから、包装袋全体が靭性や可撓性に富む材料で構成されている。ここで、包装袋の頂部に設けられた開封線を破断しようとすると、伸張してうまく破断せず開封するために手間が掛かる場合があった。
【００２７】
本実施形態では、開封線７が衛生用品２の配列方向と交差する方向に延在するように、開封線７を包装袋１の頂部４に設ける。この構成により、復元力Ｆ2は、対向する側面部Ｂ、Ｂ’を外側に膨出させ、側面部Ｂ、Ｂ’と一体となった頂部４の先端縁を外側に広げさせることになる。
【００２８】
復元力Ｆ2は、開封線７を破断させる引張力が作用する方向に平行な成分と、開封線７の延在する方向に平行な成分とに分解できる。当該引張力が作用する方向に平行な成分は、ユーザが開封線７を両側から引っ張る方向の力と合成され、当該合成された力が開封線７に作用する結果、開封線７を破断させる力に資することになる。したがって、開封線７を破断させ易くなり、包装袋１を簡単且つ迅速に開封することが可能になるため、収容された衛生用品２を速やかに取り出すことが可能となる。
【００２９】
本実施形態では、図１に示すように、開封線７は、衛生用品２の配列方向と略垂直な方向に延在するのが好ましい。つまり、開封線７は、上記復元力の作用方向と略垂直な方向に延在するのが好ましい。換言すると、開封線７を破断させる引張力が作用する方向は、衛生用品２の配列方向と略平行な方向であることが好ましい。これは、復元力Ｆ2が開封線７を破断させる引張力が作用する方向に略平行な成分のみになるので、開封線７を破断させる力が強くなるためである。
【００３０】
本実施形態では、物品として衛生用品を対象としたが、衛生用品は、他の物品に比べて、包装袋内部への異物の侵入を防ぐため、包装袋を開封し、収容された衛生用品を取り出して所定場所に仕舞う、という一連動作を迅速に行うことへの要求が高いことから、
本発明の効果をより享受できる。更には、衛生用品の中でもパンツ型のおむつは厚みが充分にあることから、それを複数収容した包装袋の胴部の対向する２つの側面部Ｂ、Ｂ’には、上記復元力Ｆ2が強く働く。よって、本実施形態を、当該パンツ型のおむつを複数収容した包装体に適用した場合、他の種類の衛生用品を収容した包装体よりも、開封線７を破断させ易いという効果がより一層発揮されることになる。
【００３１】
ここで包装袋１の製造工程の一例を以下に述べる。
【００３２】
包装袋１は、一側縁にはガセット部が設けられ、当該一側縁に対向する他側縁が開放状態になった長尺状のフィルム（以下、片ガセットフィルムということがある）から製造される。上記ガセット部は、一側縁を谷折りにしたガセット構造となっており、一側縁を谷折りにして形成される２つの山（以下、ガセット半部ということがある）を有する。
（１）先ず、包装袋１の天面部５および立ち上がり部６が形成される領域を設けるため、ガセット半部の先端から基端までの間のうち一定幅で、図２（ａ）に示す包装袋１の正面から見て横方向に相当する方向（片ガセットフィルムの長手方向）に、ガセット半部の内側の面を接着する。この接着は、２つのガセット半部についてそれぞれ行われ、例えば、ヒートシールによって行われる。  
（２）そして、図２（ａ）に示す包装袋１の正面から見て横方向に相当する方向（片ガセットフィルムの長手方向）において所定間隔で、一側縁から他側縁までを一定幅で片ガセットフィルムを接着し、片ガセットフィルムに複数の接着部を形成させる。  
（３）次に、接着部の幅が半分になるように、図２（ａ）に示す包装袋１の高さ方向に相当する方向（片ガセットフィルムの短手方向）に沿って、複数の接着部をそれぞれ切断していくと、両側端が接着された個々の袋状のフィルムを得ることができる。  
（４）個々になった袋状のフィルムのうちガセット部を折り畳んで、天面部５、立ち上がり部６、および４つの側面部を形成することによって、底面部が開放状態の包装袋１を得ることができる。衛生用品２は、その開放された他側縁から挿入され、図１の破断部分に示すように収容され、他側縁を折り込むことによって包装袋１に収容されることになる。折り込まれた他側縁は、接着によって封止される。
【００３３】
本実施形態では、図１に示すように、包装袋１の４つの側面部のうち対向する２つの側面部Ａ、Ａ’は、接着部を切断したときにできるシール部を中央付近にそれぞれ有し、残りの対向する２つの側面部Ｂ、Ｂ’は、シール部を有さない略フラットな面をそれぞれ有する。
【００３４】
＜第２の実施形態＞  
本発明の第２の実施形態に係る包装袋は、胴部の天面を覆う屋根型形状の頂部を有したものである。このような第１の実施形態と異なる形状の包装袋についても、開封線が圧縮して収容された物品（本実施形態においては衛生用品２）の配列方向と交差する方向に延在するように、当該開封線を包装袋の頂部に設けることで、開封線を破断させ易くなり、包装袋を簡単且つ迅速に開封することが可能となる。
【００３５】
図５および図６に本発明の第２の実施形態に係る、包装袋１０および包装体１１０を示し、図５は斜視図、図６（ａ）は図５のＶＩＡ方向の正面図、図６（ｂ）は図５のＶＩＢ方向の正面図、図６（ｃ）は上面図、図６（ｄ）は底面図をそれぞれ表す。本実施形態に係る包装袋を構成する各要素のうち、同様の機能を有するものについては、第１の実施形態と同一の符号を付してその説明を省略する。
【００３６】
包装袋１０は、天面と底面との間の衛生用品２を収容する空間を実質的に画成する胴部１３と、胴部１３の天面を覆う頂部１４とを備えて構成される。なお、これらの部分は別体に製造された後に一体化されたものではなく、１枚のシート状部材の折り曲げ等によって予め一体に形成されているものである。
【００３７】
本実施形態の包装袋１０の胴部１３は、包装袋１０の底面部（図６（ｄ）を参照）と略垂直な４つの側面部を有する。図６（ｃ）に示すように、包装袋１０の天面側からみた場合の包装袋１０の上面の形状は略長方形である。図５に示すように、当該４つの側面部のうち、一方の対向する２つの側面部をＥ、Ｅ’とし、他方の対向する２つの側面部をＦ、Ｆ’とする。包装袋１０の胴部１３には、第１の実施形態と同様に、複数の衛生用品２を並置して互いに接触した状態で密に配列可能である。本実施形態では、衛生用品２は、圧縮された状態で、図６（ｃ）に示す上記略長方形の短辺と略平行な方向（対向する２つの側面部Ｅ、Ｅ’と略平行な方向）に２列配列され、包装袋１０の胴部１３に収容されている。圧縮して収容された複数の衛生用品２の復元力によって、対向する２つの側面部Ｆ、Ｆ’には、包装袋１０の外側に膨出するような力が略垂直方向に働くことになる。
【００３８】
頂部１４には、屋根型形状を構成する一対の傾斜面部１５とこれらに挟まれるように立ち上がり部１６とが設けられる。一対の傾斜面部１５のうち側面部Ｆ近傍の傾斜面部１５であって、立ち上がり部１６に近い領域には、図６（ｃ）に示す略長方形の長辺と略平行に開封線１７が設けられ、これを破断することで、包装袋１０が開封され、包装袋１０の開口が形成される。
【００３９】
本実施形態では、開封線１７は、衛生用品２の配列方向と交差する方向に延在する。すなわち、開封線１７は、包装袋１０に圧縮して複数収容されることで生じる衛生用品２の復元力の作用方向と交差する方向に延在する。
【００４０】
本実施形態において、包装袋１０に圧縮して複数収容されることで生じる衛生用品２の復元力が、包装袋の胴部１３の４つの側面部にどのように作用するかについては、図３（ａ）〜図３（ｃ）、図４について説明した第１の実施形態の場合と同様である。
【００４１】
本実施形態では、図５に示すように、開封線１７は、衛生用品２の配列方向と略垂直な方向に延在するのが好ましい。つまり、開封線１７は、上記復元力の作用方向と略垂直な方向に延在するのが好ましい。換言すると、開封線１７を破断させる引張力が作用する方向は、衛生用品２の配列方向と略平行な方向であることが好ましい。これは、第１の実施形態で説明した同様の理由からである。
【００４２】
図７（ａ）から図７（ｃ）は衛生用品２の復元力による傾斜面部１５の状態の変化について説明するための図であり、包装袋１０の側面部Ｅ側（または側面部Ｅ’側）から見た一対の傾斜面部１５の断面を模式的に表したものである。図７（ａ）から図７（ｃ）では、一対の傾斜面部１５を２つの斜辺とし、当該２つの斜辺の下端同士を繋ぐ線（２点鎖線で示す線）を底辺として三角形の形状が表されている。図７（ａ）から図７（ｃ）中、傾斜面部１５の傾斜方向の長さ（上記三角形の斜辺の長さ）をＬS、上記下端同士を繋ぐ線の長さ（上記三角形の底辺の長さ）をＬEとする。上記三角形における斜辺と底辺とで成す角を傾斜角θSとして表す。
【００４３】
図７（ａ）は衛生用品２の復元力により状態が変化する前の傾斜面部１５を表す。また、図７（ｂ）は衛生用品２の復元力により状態が変化した傾斜面部１５を表し、傾斜角θSが小さくなってθS1’ となり、長さＬEが長くなってＬE1’となったが、傾斜方向の長さＬSは変化していない様子を表す。図７（ｃ）は衛生用品２の復元力により形状が変化した後の傾斜面部１５を表し、傾斜角θS1’がさらに小さくなってθS2’ となり、長さＬE1’がさらに長くなってＬE2’ となり、傾斜方向の長さＬSが長くなってＬS’ となった様子を表す。図７（ｃ）に示すように、衛生用品２の復元力によって傾斜面部１５が伸張し、傾斜方向の長さＬSが長くなっていることがわかる。
【００４４】
本実施形態において、開封線１７を破断し易いという効果をより発現できる条件としては、２ＬS≦ＬE2’となる条件を満たす場合である。また、この条件よりも開封線１７を破断し易いという効果をより発現できる条件としては、ＬS＜ＬS’となる条件を満たす場合である。しかし、これらの条件を満たさなくても（例えば、図７（ｂ）に示す状態の場合）、衛生用品２の復元力により開封線１７に対して引張応力が作用しているならば、開封線１７を破断し易いという効果を享受することが可能である。尚、ここでは説明の便宜上、一対の傾斜面部１５の傾斜方向の長さを等しくしているが、それぞれ異なる長さであっても当該効果を享受可能である。
【００４５】
本実施形態によれば、第１の実施形態と同様に、開封線の両側を引っ張る方向に作用する物品の復元力を利用して、開封線を破断させ易くなることによって、包装袋を簡単且つ迅速に開封し、収容された物品を速やかに取り出すことが可能となる。
【００４６】
＜その他＞  
本発明は、上述した第１の実施形態および第２の実施形態や、随所に述べた変形例に限られることなく、本発明の技術的思想から逸脱しない範囲で、適宜の変更や変形が可能である。
【００４７】
例えば、上記各実施形態では、開封線が、対向する２つの側面部Ｂ、Ｂ’（または側面部Ｆ、Ｆ’）と略平行であって、当該２つの側面部の端から端まで、頂部に一直線に１本形成されているが、これに限られない。例えば、開封線は、当該２つの側面部の端から端まで形成されなくて良いし、一直線でない形状（例えば、円弧状などの曲線状や、くの字状、ジグザグ状）であっても良いし、包装袋の頂部に複数本形成しても良い。
【００４８】
上記各実施形態に係る包装袋では、同じ数の物品が２列配列されているが、開封線の破断が簡単になるという効果を発揮するものであれば、１列や２列より多い列で配列しても良いし、異なる数の物品を複数列配列しても良い。具体的には、第１の実施形態を例にすると、物品を対向する２つの側面部Ｂ、Ｂ’と略平行に１列配列させ、開封線７を、対向する２つの側面部Ａ、Ａ’と略平行に延在するように設ける。この構成により、対向する２つの側面部Ａ、Ａ’に、物品の復元力が略垂直方向に働くことになり、開封線７の両側を引っ張る方向に力が作用するので開封線７を破断させ易くなる。
【００４９】
上記各実施形態に係る包装袋の頂部には、開封後に包装袋の内部を開放／閉塞することが可能な開閉部としてチャック部等が設けられても良い。これにより、物品を取り出した後、開閉部により包装袋の開口を閉塞することが可能となるため、開封後に塵埃や虫などの異物が侵入し物品に付着することを防止することが可能となる。このとき、例えば、開閉部を物品の配列方向と交差する方向に延在するように設けることによって、開閉部を開く方向に作用する物品の復元力を利用して、開閉部を開き易くすることが可能になる。上記各実施形態に係る包装袋の頂部にこのような開閉部を設けた場合、包装袋を容易に開封でき、且つ、開封して当該開閉部により閉塞した後も、物品を速やかに取り出すことが可能となる。
【００５０】
上記各実施形態に係る包装袋は、可搬性を考慮して、第１の実施形態に係る包装袋の立ち上がり部６の内側（または外側）の面に基端領域が接着された一対の持ち手部を備えたり、第２の実施形態に係る包装袋の立ち上がり部１６に手で持って提げるための穴を形成したりしても良い。
【００５１】
さらに、上述の各実施形態では、圧縮して収容された物品の復元力によって物品の配列方向に包装袋が膨出し、さらにその膨出に伴って配列方向と直交する方向に包装袋が凹むものとして説明した。しかし要は、物品の復元力が開封線を破断させることに資する構成であればよく、有意の凹みが生じることを要件とするものではない。
【００５２】
上記各実施形態に係る包装袋には、立ち上がり部が形成されているが、立ち上がり部を形成しない形態であっても良い。これにより、包装袋全体をコンパクトな形状にすることが可能となる。
【符号の説明】
【００５３】
１、１０  包装袋
２  衛生用品
３、１３  胴部
４、１４  頂部
５  天面部
６、１６  立ち上がり部
７、１７  開封線
１５  傾斜面部
１００、１１０  包装体
【図１】
2017024735.tif 000003
【図２】
2017024735.tif 000004
【図３】
2017024735.tif 000005
【図４】
2017024735.tif 000006
【図５】
2017024735.tif 000007
【図６】
2017024735.tif 000008
【図７】
2017024735.tif 000009